(57)【特許請求の範囲】
【請求項１】
表裏面を有する熱可塑性樹脂製の平板状基材(2) の長手方向に沿った左右側縁部の表面に、それぞれ成形用発泡樹脂材料の樹脂侵入防止壁部(4) を有し、その左右の樹脂侵入防止壁部(4) の間の平板状基材(2) の表面に多数の雄係合素子(3) を一体に有し、前記成形用発泡樹脂材料の成形と同時に同成形用発泡樹脂材料に成形一体化される磁気的に吸引し又は吸引される磁性材料を含み、前記左右の各樹脂侵入防止壁部(4) の各頂面に沿って、前記平板状基材(2) 及び雄係合素子(3) とは異なる材質からなる、シール性を有する線状シール体(5) が固着支持されてなり、前記線状シール体(5) の表出面の基材表面からの高さ(H1)を、前記雄係合素子(3) の頂面高さと等しいか、その頂点高さよりも高く設定してなる、成形雄面ファスナーであって、
前記樹脂侵入防止壁部(4) は、前記基材(2) の長手方向に沿って基材(2) と一体化して平行に延びる第１の線状シール体挟持部(4a)と第２の線状シール体挟持部(4b)とを有し、前記線状シール体(5) は前記第１及び第２の線状シール体挟持部(4a,4b) の各頂部近傍の間を連続して表出して長手方向に沿って延び、
前記第１及び第２の線状シール体挟持部(4a,4b) は、基材(2) の長手方向に沿って間欠的に配されてなる、ことを特徴とするシール性成形雄面ファスナー。
【請求項２】
前記線状シール体(5) は、少なくとも表面に前記平板状基材(2) 及び雄係合素子(3) の構成材料よりも柔軟性を有する材料を含んでなる請求項１記載のシール性成形雄面ファスナー。
【請求項３】
前記第２の線状シール体挟持部(4b)の外側縁部に沿った基材表面に、前記第２の線状シール体挟持部(4b)に長手方向に形成される各間隙を塞ぐようにして、間欠的に配されてなる外壁部(6) をさらに有してなる請求項１記載のシール性成形雄面ファスナー。
【請求項４】
前記成形雄面ファスナーは、その長手方向に磁気的に吸引し又は吸引される材料を含む直線状の磁性体を有してなる請求項１記載のシール性成形雄面ファスナー。
【請求項５】
前記第１及び第２の線状シール体挟持部(4a,4b) の間の基材表面に、前記線状シール体(5) を下方から支持する線状シール体支持部(7) が基材(2) の長手方向に間欠的に隆起し
て配されてなる請求項１記載のシール性成形雄面ファスナー。
【請求項６】
前記樹脂侵入防止壁部(4) の頂部に前記線状シール体(5) を係止する係止部(4a',4b') を有してなる請求項１記載のシール性成形雄面ファスナー。
【請求項７】
前記線状シール体(5) が、繊維製紐体である請求項１記載のシール性成形雄面ファスナー。
【請求項８】
前記繊維製紐体が、磁性的に吸引し又は吸引される磁性粒子を含む合成樹脂線材を芯材として有してなる請求項７記載のシール性成形雄面ファスナー。
【発明の詳細な説明】
【技術分野】
【０００１】
本発明は、平板状基材の片面に相手方のループ状の雌係合素子と係合する多数のフック片やキノコ片からなる雄係合素子を有するとともに、少なくとも前記基材の長手方向の左右側縁に沿って配された、発泡体樹脂からなる成形製品の発泡成形時における前記雄係合素子の形成領域へと発泡樹脂材料の侵入を防止する樹脂侵入防止壁部を有する成形雄面ファスナーに関する。
【背景技術】
【０００２】
自動車や列車の座席用シート、各種ソファー、事務用チェアーなどは、表皮材の内部にクッション体を備えている。このクッション体としては椰子や麻又は太い合成繊維などの剛直繊維を交絡させて、ゴム等により固めたロックウールなどと呼ばれるクッション材、或いは各種の発泡性樹脂材料からなる発泡成形体が使われている。これらのクッション材は、長時間着座しても疲れない着座姿勢を維持するため、人間工学的に満足する凹凸形状からなる湾曲面を有している。かかる複雑な表面形状を有するクッション材をそのクッション性をも考慮して効率的に大量生産しようとすると、製造工程が多い前記ロックウールでは対応が難しい。これに対して、発泡性樹脂製のクッション体は単一の工程で製造できるうえに、多様な形状が容易に得られることから広範に使われている。すなわち、発泡性樹脂製のクッション体は金型の内部に、例えば発泡ウレタン樹脂のような発泡性樹脂材料を流し込み、発泡と同時に所望の形状に成形される。【０００３】
こうして成形されたクッション体の表面には、各種の繊維製布帛や天然又は合成皮革などの表皮材が被着一体化される。この被着一体化には、金型面に沿わせて表皮材を吸着させておき、これに発泡性樹脂材料を流し込み、クッション体を成形すると同時に表皮材の裏面に一体化させる手段、あるいは予め金型にて発泡性樹脂材料からなるクッション体を成形したのち、その表面に表皮材を被せて固定する手段のいずれかが採用されている。【０００４】
前記一体成形による手段では、金型の内面に沿わせて表皮材をセットするとき、吸引手段を利用して金型内面に沿わせて吸着させているが、表皮材を上述のごとく複雑な表面形態を有するクッション体表面に合わせて変形させるには、表皮材自体が伸縮性に優れた素材である必要がある。しかるに、素材によっては伸縮性にも限度があるため、特に座面と周側面との間におびただしい数のしわが発生しやすく、これを矯正するために多大な努力が払われている。【０００５】
また、この一体成形によるとクッション体と表皮材とが全面で一体化されるため、例えば使用時に表皮材がクッション体の表面でずれる方向に強い力がかかった場合、表皮材とクッション体との間に剪断力が働き、クッション体の一部を裂断させて表皮材が剥離することも多い。上記しわの発生を排除するには自ずと表皮材として使用できる材質が限られ、また表皮材とクッション体との間に無理な力がかからないように、双方の間に僅かな動きを許容できることが好ましい。そのため、クッション体の成形と同時に表皮材を一体化することに代わって予め成形されたクッション体に表皮材を被せる手法を採用することが多くなった。【０００６】
上述のように発泡性樹脂材料からなるクッション体の成形時に成形雄面ファスナーを一体化する一般的な手法は、図５に示すように、雄面ファスナー１の係合素子形成面を、成形しようとするクッション体の凹陥面に対応する金型底面の突面部１０１に向けて同突面部１０１に載置固定し、金型１００内に発泡性樹脂材料を流し込んで、クッション体を発泡成形すると同時に、同クッション体の凹陥面に雄面ファスナー１の係合素子形成面を外部に露呈させた状態で埋設一体化する。この発泡成形時には、前記発泡性樹脂材料が雄係合素子の形成領域にまで流れ込まないようにしなければならない。成形されたクッション体には、予めクッション体の外形に合わせて袋状に形成されたパイル織編物や天然皮革、剛性皮革などの各種材質からなる表皮材を被せて、表皮材の裏面のループ状の雌係合素子を、クッション体に一体化された上記雄面ファスナー１の係合素子形成面に押し付けて、表皮材をクッション体の凹陥面に沿わせて接合固着し、表皮材がクッション体から浮き上がらないようにしている。【０００７】
上記クッション体の成形時にあって、発泡性樹脂材料を前記雄面ファスナーの係合素子形成領域に侵入させないようにするための対策は、例えば特表２０００−５１６４８５公報（特許文献１）、米国特許第６，９３９，５９６号明細書（特許文献２）、特開２００５−２１１１９８号公報（特許文献３）などによって多数提案されている。【０００８】
上記特許文献１では、ベーステープの一表面に多数の雄係合素子が一体成形により起立しており、その雄係合素子形成領域の周縁部に配された雄係合素子を埋設するための合成樹脂カバーにて被覆して、雄係合素子形成領域の周囲を囲むように発泡樹脂材料の侵入阻止壁を形成している。前記合成樹脂カバーの内部は同カバーと同種の樹脂により充填されていてもいなくてもよい。更に発泡樹脂成形金型との密着性を増すため、前記合成樹脂カバーの構成樹脂材料中に磁気的に吸引される材料からなる粒子、或いは磁気的に吸引する磁石を混入することもある旨が記載されている。【０００９】
また、上記特許文献２によれば、表面に多数の雄係合素子を成形一体化した成形雄面ファスナーの係合素子形成領域の外側縁部に沿って、磁気的に吸引可能な粒子を含み、周面に多数の繊維を付着させたアンカーワイヤーを接着剤を介して平板状基材表面に直接接着固定して、樹脂侵入防止壁部を形成している。【００１０】
特許文献３に開示された雄面ファスナーは、熱可塑性樹脂製の長尺なテープ状基材の長手方向に沿った左右側縁部に、それぞれクッション体の成形用発泡樹脂材料の侵入を防止する第１樹脂侵入防止壁部が延在し、その左右の侵入防止壁部の間に多数の雄係合素子を有するとともに、前記雄係合素子を基材の長さ方向に所要の領域ごとに区画し、長手方向に隣接する区画領域間に基材の幅方向に延びる第２の樹脂侵入防止壁部が形成されている。前記第２の樹脂侵入防止壁部は、前記基材表面の幅方向に延在し、前記基材の長手方向から侵入しようとするクッション体成形用の発泡樹脂材料の侵入を防止するとともに、第２の樹脂侵入防止壁部の上端部には相手方の雌係合素子と係脱するフック状の雄係合素子を有している。【００１１】
前記第２の樹脂侵入防止壁部は、基材表面の幅方向に連続して延設された樹脂侵入防止横壁を構成し、同樹脂侵入防止横壁の上部にあって基材長手方向の前後壁面から前後方向に延出する複数の雄係合素子を有することによって、樹脂侵入防止横壁が発泡性樹脂の係合素子形成領域への侵入を阻止するとともに、係合素子形成領域に形成されている係合素子と同様の係合頭部を有する雄係合素子が、表皮材裏面の雌係合素子と接合することで、従来欠落していた被接合部分を補完して所要の接合力を確保する。クッション体に成形一体化される成形雄面ファスナーは、その基材の裏面と前記第１及び第２の侵入防止壁部との外側領域にてクッション体と接合一体化される。クッション体と面ファスナーとの接合強度を確保するため、面ファスナーの成形時に、その背面を凹凸面としたり、或いは背面に不織布などを一体化したりしている。【００１２】
更に、この特許文献３によれば、発泡性樹脂材料からなるクッション体の上記成形時に、成形用金型の所定位置に上述の成形雄面ファスナーの係合素子形成面を密着させるべく、成形雄面ファスナーの左右の第１樹脂防止壁部の基材側基部と基材の幅方向中央部のそれぞれに、長尺な磁性線材を基材の長手方向に沿って埋設一体化している。この磁性線材は、磁気的に吸引される線材又は線状磁石からなる。磁性的に吸引される線材は、例えば単なる金属単体、或いは磁気的に吸引可能な磁性材料からなる粒子を混入した合成樹脂製のモノフィラメントが多く使われる。しかして、これらの線材はいずれも可撓性に優れている。
【特許文献１】特表２０００−５１６４８５公報
【特許文献２】米国特許第６，９３９，５９６号明細書
【特許文献３】特開２００５−２１１１９８号公報
【発明の開示】
【発明が解決しようとする課題】
【００１３】
ところで、上記特許文献１に開示された雄面ファスナーは、上述の構造からも理解できるとおり、連続して製造されるものではなく、雄の面ファスナー部材の製造と同面ファスナー部材の係合素子形成領域の周辺係合素子を被覆するカバーの成形との２以上の工程を経て単一部材として個々に製造される。しかも、雄の面ファスナー部材が成形面ファスナーの場合には、面ファスナー部材を連続ではなく個々に成形することになる。そのため、特許文献１に開示された雄面ファスナーは、単一工程で製造することが不可能であるがため、製造コストが高くなるという問題を抱えている。【００１４】
一方、上記特許文献２及び３に開示された雄面ファスナーをも含めて、近年の成形雄面ファスナーは、周面に多数の係合素子用成形用キャビティと発泡性樹脂材料の侵入防止壁用の成形キャビティとが形成された一方向に駆動回転するダイホイールの周面に、溶融樹脂を連続的に射出し又は押出して、テープ状の基材表面に多数の係合素子と侵入防止壁部とを同時に連続して成形一体化している。これにより、特許文献１に記載された雄面ファスナーと比較すると、製造コストを大幅に低減させることを可能にする。【００１５】
一方で、例えば車両用の座席などでは、既述したように、人間工学的に最も好ましいとされる着座姿勢を得るため、座席表面に適度な湾曲面からなる凹凸面を形成している。この凹凸面の形状、特にその長さも一定ではなく多様な長さをもっている。前記成形面ファスナーは、凹凸面をもつ座席クッション体の着座面の凹面部に沿って同クッション体と一体化される。クッション体に表皮材を被覆するとき、表皮材の裏面の雌係合素子をもつ雌面ファスナー領域を前記面ファスナーの係合素子形成領域に押圧して接合させることにより、表皮材が張りをもってクッション体に装着される。【００１６】
このように、上述のように連続して成形されるテープ状の成形雄面ファスナーを、クッション体の長さの異なる凹凸面に沿わせて屈曲した状態でクッション体に成形一体化するには、テープ状の成形雄面ファスナーを金型の凹凸面に沿わせて屈曲させた状態で金型に密着させておかなければならない。そのためには、成形雄面ファスナーがたやすく屈曲しやすいものである必要がある。特許文献３の成形雄面ファスナーでは、その左右側縁部に沿って形成されるそれぞれの第１樹脂侵入防止壁を連続ではなく間欠的に且つ千鳥状に２列以上配するようにしており、また金型への密着力を確保するために、第１樹脂侵入防止壁の基材側基部と基材の中央部に、磁気的に吸引される材料を混入した合成樹脂製線材、若しくは線状磁石を基材の長手方向に連続して埋設している。【００１７】
以上の構成を採用することにより、金型の面ファスナー吸着面における凹凸が少なく平面に近い場合には、金型上の任意の位置にたやすく且つ正確に雄面ファスナーを設置することができるが、金型の面ファスナー吸着面における凹凸が大きくなると、その湾曲面の凹凸が大きいとき、雄面ファスナー、特にその端部において金型上から浮き上がってしまうことが多々あり、このように成形雄面ファスナーの端部が金型から浮き上がると、以降になされる発泡成形時に、その発泡圧によって発泡性樹脂材料が金型と成形雄面ファスナーとの間の隙間に侵入し、その隙間を徐々に大きくしながら成形雄面ファスナーの樹脂侵入防止壁部を越えて係合素子形成領域へと侵入し、成形雄面ファスナーとしての所望の係合力が発揮できなくなってしまう恐れがある。また成形雄面ファスナーの成形時における冷却時の樹脂のヒケの影響においても、成形雄面ファスナーの幅方向、長手方向に凹凸や反りが発生し、その凹凸や反りによって樹脂が金型と成形雄面ファスナーとの間の隙間に侵入し、成形雄面ファスナーとしての所望の係合力が発揮できなくなる可能性があり、これらの点で未だ多くの改善の余地があった。【００１８】
本発明は、こうした課題を解決すべくなされたものであって、具体的にはテープ状に連続して成形されるこの種の成形雄面ファスナーにあって、クッション体用成形金型の成形キャビティの表面が大きな凹凸形状をもつ場合、あるいは成形雄面ファスナー自体の凹凸あるいは反りがある場合にも、係合素子形成領域への発泡性樹脂材料の侵入を最小限に抑えるとともに、最小限必要な接合力が確保される成形面ファスナーを提供することを目的としている。
【課題を解決するための手段】
【００１９】
上記目的は、本発明の主要な構成である、表裏面を有する熱可塑性樹脂製の平板状基材の長手方向に沿った左右側縁部の表面に、それぞれ成形用発泡樹脂材料の樹脂侵入防止壁部を有し、その左右の樹脂侵入防止壁部の間の平板状基材の表面に多数の雄係合素子を一体に有し、前記成形用発泡樹脂材料の成形と同時に同成形用発泡樹脂材料に成形一体化される磁気的に吸引し又は吸引される磁性材料を含み、前記左右の各樹脂侵入防止壁部の各頂面に沿って、前記平板状基材及び雄係合素子とは異なる材質からなる、シール性を有する線状シール体が固着支持されてなり、前記線状シール体の表出面の基材表面からの高さを、前記雄係合素子の頂面高さと等しいか、その頂点高さよりも高く設定してなる、成形雄面ファスナーであって、前記樹脂侵入防止壁部は、前記基材の長手方向に沿って基材と一体化して平行に延びる第１の線状シール体挟持部と第２の線状シール体挟持部とを有し、前記線状シール体は前記第１及び第２の線状シール体挟持部の各頂部近傍の間を連続して表出して長手方向に沿って延び、前記第１及び第２の線状シール体挟持部は、基材の長手方向に沿って間欠的に配されてなる、ことを特徴とするシール性成形雄面ファスナーにより効果的に達成される。
【００２０】
好適な態様によれば、前記線状シール体は、少なくとも表面に前記平板状基材及び雄係合素子の構成材料よりも変形しやすく且つ柔軟性を有する材料を含んでいることが好ましい。
【００２１】
好適には、前記第２の線状シール体挟持部の外側縁部に沿った基材表面に、前記第２の線状シール体挟持部の長手方向に形成される各間隙を塞ぐようにして、間欠的に配される
外壁部をさらに有していてもよい。
【００２２】
前記成形雄面ファスナーは、その長さ方向に磁気的に吸引し又は吸引される材料を含む直線状の磁性体を有していることが望ましい。前記第１及び第２の線状シール体挟持部の間の基材表面に、前記線状シール体を下方から支持する線状シール体支持部が基材の長さ方向に間欠的に隆起して配することもできる。更に、前記樹脂侵入防止壁部の頂部に前記線状シール体を係止する係止部を形成することが可能である。前記線状シール体は、繊維製紐体であったり、この繊維製紐体の中心部に磁性的に吸引し又は吸引される磁性粒子を含む合成樹脂線材或いは金属線材を芯材として配することもできる。また、前記線状シール体は多孔性樹脂材料によって形成することもできる。
【発明の効果】
【００２３】
本発明にあって、少なくとも第１樹脂侵入防止壁部を構成する第１及び第２の線状シール体挟持部の基材から離れた各頂部近傍に、線状シール体を長さ方向に連続して配置することにより、従来と同様の磁力をもつ面ファスナーであっても、磁気的な吸着力を利用して、線状シール体をクッション体用成形金型の面ファスナー設置面に密着させることができるため、線状シール体を支持する雄面ファスナーの第１樹脂侵入防止壁部と、発泡樹脂成形用金型との間に強力なシール力をもたせるこができる。そのため、たとえ金型の面ファスナー設置面の凹凸あるいは面ファスナー自体の凹凸や反りが大きい場合であっても、線状シール体は発泡樹脂成形用金型の面ファスナー設置面の凹凸形状に沿ってよく馴染み、成形雄面ファスナーと金型のキャビティ面との間に隙間が生じることなく、発泡樹脂材料の侵入を効果的に阻止する。【００２４】
前記線状シール体を、前記第１及び第２の線状シール体挟持部の間から連続して表出させる場合には、成形雄面ファスナーが磁力をもっているため、線状シール体には全長にわたって均一に磁力が働き、線状シール体を金型の面ファスナー設置面にしっかりと密着させることができる。このとき、線状シール体のうち、金型との接触面を前記基材及び雄係合素子よりも軟質としておくと、金型への吸着時に、その吸着力により線状シール体が塑性変形して、金型との密着面積が増加し発泡樹脂材料に対するシール性が向上する。このシール性を確保するため、前記線状シール体の表出面の基材表面からの高さを、前記雄係合素子の頂点高さと等しいか、その頂点高さより僅かに高く設定しておく。【００２５】
また、前記第１及び第２の線状シール体挟持部を、基材の長手方向に沿って間欠的に配することにより、成形雄面ファスナーの長手方向の屈曲性が確保できる。更に、前記第１及び第２の線状シール体挟持部に加えて、さらに第２の線状シール体挟持部の外側に基材の長さ方向に間欠的に延びる外壁部を設けることにより、発泡樹脂材料の発泡成形時において発泡樹脂材料が成形雄面ファスナーの係合素子形成領域に侵入することを効果的に防止する。この間欠的に配される各外壁部は、基材の長さ方向に隣接して間欠的に配される前記第２の線状シール体挟持部に形成される間隙を塞ぐようにして互い違いに配することにより、発泡樹脂材料の侵入防止を向上させる。【００２６】
前記第１及び第２の線状シール体挟持部の間の基材表面に、前記線状シール体を下方から支持する線状シール体支持部が隆起して配すると、第１及び第２線状シール体挟持部による挟持に加えて、線状シール体を下方からもしっかりと支持するため、必要量以上の線状シール体を用意する必要がなく、確実に線状シール体の表出面における基材表面からの高さＨ１を、前記雄係合素子の頂面高さと等しいか、その頂面高さよりも高く設定することが可能となる。また、線状シール体と成形雄面ファスナーとの間の相対的移動がなくなり、両者が常に一体的に行動して、線状シール体による発泡樹脂成形用金型のキャビティ面との間のシール性が確保できる。【００２７】
この線状シール体支持部を基材の長さ方向に間欠的に配しておけば、成形雄面ファスナーの長手方向の屈曲性が確保され、金型の面ファスナー設置面の凹凸にも柔軟に沿わせることができる。前記線状シール体は、金型との均等な吸着性を得るためには連続線材であることが好ましく、特に鉄やコバルト、ニッケル等の合金からなる磁性粒子を含んでいる合成樹脂線材であれば、所望の柔軟性が得やすいため好ましいが、これらの線状シール体の周面を繊維集合材により被覆しても、所望の吸着性が得られる上に、線状シール体の周面の柔軟性が増加してシール性も向上する。或いは、線状シール体として発泡樹脂体を採用しても前述の効果が得られる。前記第１及び第２の線状シール体挟持部の頂部に前記線状シール体を係止する係止部を設けると、線状シール体が第１及び第２の線状シール体挟持部から外れにくくなり、線状シール体の支持が確実となる。
【図面の簡単な説明】
【００２８】
【図１】本発明の好適な第１実施例である成形雄面ファスナーを一部破断して示す上方から見た部分斜視図である。
【図２】同成形雄面ファスナーの上面図である。
【図３】同図Ａ〜Ｅは、図２の3A-3A 線〜3E-3E 線に沿った矢視図である。
【図４】図2 のIV-IV 線に沿った矢視断面図面である。
【図５】成形雄面ファスナーを発泡製品に成形一体化するときの、発泡成形前の金型内の面ファスナー配置例を説明する説明図である。
【図６】湾曲面をもつ金型上に成形雄面ファスナーを密着させるときの状態図である。
【図７】発泡樹脂による発泡成形時の発泡樹脂侵入防止機構を模式的に説明する拡大説明図である。
【図８】上記第１実施例の変形例である成形雄面ファスナーを示す上面図である。
【図９】図８のIX-IX 線に沿った矢視断面図である。
【図１０】第２実施例の発泡樹脂による発泡成形時の発泡樹脂侵入防止機構を模式的に説明する拡大説明図である。
【図１１】第２実施例の変形例を示す横断面図である。
【図１２】同変形例の発泡樹脂による発泡成形時の発泡樹脂侵入防止機構を模式的に説明する拡大説明図である。
【図１３】本発明の第３実施例である成形雄面ファスナーを一部破断して示す上方から見た部分斜視図である。
【図１４】同図Ａ〜Ｄは、本発明における線状シール体の多様な変形例を示す成形雄面ファスナーの部分断面図である。
【図１５】図１４Ｃに示す変形例の成形雄面ファスナーの発泡成形金型内における密接状態を模式的に説明する横断面図である。
【図１６】本発明の成形雄面ファスナーの成形工程例の一部を示す工程説明図である。
【図１７】図１６のXIV-XIV 線に沿った矢視断面図である。
【図１８】図１６のXV-XV 線に沿った矢視断面図である。
【図１９】本発明の成形雄面ファスナーの他の成形工程例の一部を示す工程説明図である。
【符号の説明】
【００２９】
１                  成形雄面ファスナー
２                  基材
２ａ                凹凸面
３                  係合素子
３ａ                立ち上がり部
３ｂ                係合頭部
４，１４            樹脂侵入防止壁部
４ａ〜４ｃ          第１〜第３の線状シール体挟持部
４ａ’，４ｂ’      挟持壁
４ａ”〜４ｃ”      係止部
５                  線状シール体
５’                繊維製紐体
６                  外壁部
７                  線状シール体支持部（隆起部）
７ａ，７ｂ          第１及び第２の線状シール体支持部（隆起部）
８                  ヒレ片
９                  接着剤層
１４                  樹脂浸入防止壁部
１４ａ                第１線状シール体挟持部
１４ｂ                第２線状シール体挟持部
１５                  線状磁性材
３０                  係合素子形成領域
１００                  発泡成形金型
１０１                  突面部
１０２                  磁石
２００                  ポリウレタン樹脂（発泡樹脂材料）
３００                  ダイホイール
３０１                  連続押出しノズル
３０２                  雄係合素子成形用キャビティ
３０３                  ピックアップロール
３０４，３０５          上下一対の押圧ロール
【発明を実施するための最良の形態】
【００３０】
以下、本発明の代表的な実施の形態について図面を参照しながら具体的に説明する。図１〜図４は本発明の第１実施例を示している。
図１に示すように、本実施例に係わるテープ状の成形雄面ファスナー１（以下、単に面ファスナーという。）は、平板状基材２の片面の幅方向の両側縁部分を除いた係合素子形成領域３０に多数のフック状の雄係合素子３が基材２の片面（表面）に一体に成形され、同基材２の左右両側端縁部分には長手方向に沿って直線状に延びる樹脂侵入防止壁部４が立設されている。本実施例にあって、前記樹脂侵入防止壁部４は、前記係合素子形成領域に隣接する左右側縁部に、それぞれ所要の間隔をおいて長手方向に平行に配された第１及び第２線状シール体挟持部４ａ，４ｂと、第２線状シール体挟持部４ｂの係合素子形成領域とは反対側に密接して配された外壁部６と、前記第１及び第２線状シール体挟持部４ａ，４ｂに配され基材２の表面から隆起する線状シール体５を下方から支持する線状シール体支持部７とを有している。【００３１】
ここで、面ファスナーの素材には、ポリアミド樹脂、ポリエステル樹脂、ホリプロピレン樹脂、ＰＶＣ、ＡＢＳ樹脂、ポリエチレン樹脂、ポリスチレン樹脂などの熱可塑性樹脂が使われる。また、雄係合素子３とは相手方のループ状の雌係合素子と係脱可能な、上述のごときフック状の他、きのこ状や椰子の木状などを言い、従来から広く知られたあらゆる形状の雄係合素子を含むものである。【００３２】
前記第１及び第２線状シール体挟持部４ａ，４ｂ、外壁部６及び線状シール体支持部７は、いずれも基材２の長手方向に分割されて間欠的に形成されており、それらのうち、第１及び第２線状シール体挟持部４ａ，４ｂを分割する各挟持壁４ａ’，４ｂ’は、図３Ｄに示すように上方に向けて狭まる山形のブロック片からなり、その左右対が基材２の幅方向に間隙をおいて隣接して配されている。前記外壁部６は、図１、図２、図３Ｅ及び図４に示すように、基材２の左右両側縁部に長手方向に間欠的に配された第１及び第２線状シール体挟持部４ａ，４ｂにあって、上記係合素子形成領域３０とは反対側に配される第２線状シール体挟持部４ｂの各挟持壁４ｂ’の間の間隙を、それぞれ塞ぐようにして密接して長手方向に間欠的に形成されている。【００３３】
前記線状シール体支持部７は、図１、図２及び図３Ｃに示すように、前記第１及び第２線状シール体挟持部４ａ，４ｂの間にあって、各挟持壁４ａ’，４ｂ’の長手方向の間隙を塞ぐようにして間欠的に配される背丈の低いブロック片からなり、基材２の表面に隆起して、一部が前記第１及び第２線状シール体挟持部４ａ，４ｂの各挟持壁４ａ’，４ｂ’の対向面に密接して一体に形成されている。【００３４】
本実施例における上記係合素子３は、一単位が図１、図３Ａ及びＢに示すように、長手方向及び幅方向にそれぞれ所定のピッチをもって立設されている。各係合素子３は基材２の表面から垂直に立ち上がる立ち上がり部３ａと同立ち上がり部３ａの上端において基材２の長さ方向の前後に湾曲して延びるフック状の係合頭部３ｂとを有している。また前記立ち上がり部３ａの基材幅方向の左右側面に背丈の低い第１リブ３ｃと、各第１リブ３ｃの更に隣り合う係合素子側の側面には基材長手方向の幅が小さく、背丈が前記係合頭部３ｂの頂点の高さに等しい第２リブ３ｄとが前記係合素子３と一体に成形されている。基材２の幅方向に列設されたこれらの係合素子３のうち、基材２の左右側縁部に最も近い位置に配された各係合素子３の前記第２リブ３ｄの外側側面と、上記第１の線状シール体挟持部４ａの内側側面とが一体に結合されている。【００３５】
本実施例において、面ファスナー１の幅方向からの発泡樹脂侵入防止手段は、樹脂侵入防止壁部４であるが、その長手方向から侵入しようとする発泡樹脂は、上記係合素子３を構成する立ち上がり部３ａ、係合頭部３ｂ、第１リブ３ｃ及び第２リブ３ｄによって侵入を防止している。係合部３と、第１及び第２リブ３ｃ，３ｄとの間には隙間が空いているが、この隙間は発泡樹脂が通り抜けできない程の狭い間隙であるため、それよりも内側のフック形成面には樹脂は侵入できない。【００３６】
本実施例によれば、図４に示すように、基材２の表面側よりも、係合素子３あるいは第１及び第２の線状シール体挟持部４ａ，４ｂの頂部側に位置し、前記第１及び第２の線状シール体挟持部４ａ，４ｂと、上記線状シール体支持部７の上面との間に形成される空間部に、線状シール体５が嵌挿される。前記線状シール体５は基材２、係合素子３及び樹脂侵入防止壁部４よりも柔軟で且つ変形しやすい材料からなり、本実施例にあっては、シール性能を備えるとともに、磁気的に吸引され、或いは磁気的に吸引する材料から構成される。例えば、鉄やコバルト、ニッケル等の合金からなる磁性粒子を混入した各種のエラストマー、ゴムなどのモノフィラメントや、或いはこれらの金属細線１本を数本束ねて撚った金属製撚糸を芯材とするエラストマー、ゴムなどからなる線材が使用される。しかして、この線状シール体５は、後述する理由から、線材自身が基材２及び係合素子３を構成する材質よりも軟質の材料を使うことが望ましい。なお本件で言う軟質とは、外力が加わったときに、基材２及び係合素子３の変形量より変形量が大きい物質、つまりデュロメータ硬さ試験による測定値が基材２及び係合素子３よりも低い材質を指す。【００３７】
また、第１及び第２の線状シール体挟持部４ａ，４ｂの上端部には、図４に示すように、線状シール体５の上部周面を左右から係合支持する１／６円弧状断面の係止部４ａ”，４ｂ”を形成している。この係止部４ａ”，４ｂ”の形成方法は後述する。この係止部４ａ”，４ｂ”の形成により、線状シール体５は第１及び第２の線状シール体挟持部４ａ，４ｂと線状シール体支持部７との間で、がたつきがなくしっかりと挟着支持される。【００３８】
更に本実施例では、面ファスナー１の基材２の左右側面に沿って、所定のピッチをもって多数のヒレ片８が基材２と同一平面上に延設されている。左右のヒレ片８は互いにジグザグ状に配されている。このヒレ片８は、発泡成形時に発泡体の内部に埋設される部分であり、面ファスナー１を発泡体に強固に固定するために設けられている。このヒレ片８に代えて、従来と同様に、基材２の係合素子形成面とは反対側の裏面に多数のループをもつ不織布や発泡材などを一体に形成することも可能であるが、単一工程にて成形できるところから、本実施例ではヒレ片８を採用している。【００３９】
以上の構成を備えた本実施例による面ファスナー１は、図５に示すとおり、発泡性樹脂材料からなるクッション体（図示を省略）などの発泡体成形時に、発泡成形金型１００の発泡体成形用キャビティ内面の所定位置に、その係合素子形成面を金型内面に対向させて設置される。面ファスナー１が設置される前記キャビティ内面の所定位置とは、成形しようとするクッション体の座面を構成する凹陥面に対応する金型底面の凸状の湾曲面である突面部１０１である。このように面ファスナー１の設置面が突面部１０１であるとき、図６に仮想線で示す平面状の面ファスナー１を前記突面部１０１の湾曲面に沿って載置固定したとき、面ファスナー１に何ら発泡成形金型１００に対する当接力が働かない場合は、特に基材２の弾性力により面ファスナー１は湾曲面方向の端部において発泡成形金型１００から浮き上がってしまう。面ファスナー１の一部が発泡成形金型１００から浮き上がると、例えば面ファスナー１の周縁部に樹脂侵入防止壁が形成されているとしても、同樹脂侵入防止壁も発泡成形金型１００から浮き上がり、金型との間の間隙を通して発泡樹脂が侵入し、係合素子形成領域３０の殆どを発泡樹脂にて覆いつくし、面ファスナーにおける係合素子としての機能を失う。【００４０】
上記特許文献２及び３に開示された面ファスナーでは、本実施例と同様に線状磁性体を基材の長手方向に延在させて設置するため、面ファスナーの全体を金型に吸着させることはできるものの、線状磁性体と発泡成形金型１００の吸着面との間に距離があることと、面ファスナー自体に弾性的な反発力を有しているため、吸着力が小さく端部において金型から面ファスナー端部が浮き上がりやすく、発泡体成形時に発泡樹脂が係合素子形成領域に侵入して、係合力が低下してしまう。また、金型に面ファスナーを設置するとき、僅かな外力によっても設置位置が横方向にずれて、面ファスナー１を成形後のクッション体の所望位置に確実に一体化することがでない。そのため、図示せぬ表皮体をクッション体の凹凸面に沿って皺なく美麗に被覆することが不可能となる。通常、前記発泡成形金型１００の面ファスナー設置位置には板状の磁石１０２が埋設されている。【００４１】
本実施例による面ファスナー１にあっては、線状シール体５を樹脂侵入防止壁部４の上端、すなわち発泡成形金型１００の磁気的な吸着面に接近させた位置に配しているため、上記特許文献３に記載された線状磁石と同様の磁力をもつ線状シール体５であっても、極めて強力に磁力が働き、吸着力が増加するため、発泡成形金型１００に対する密着性が増加し、しかもそのシール性能と相まって、図６に示すように、仮にクッション体の座面が大きく湾曲しているとしても、その湾曲面に沿って均等に密接するようになり、設置位置が変動したり、或いは面ファスナー１の端部が金型から浮き上がるようなことがなくなり、面ファスナー１と発泡成形金型１００との間のシール性が大きく向上する。【００４２】
しかも、本実施例では面ファスナー１の上述の構成を備えた係合素子３と樹脂侵入防止壁部４である第１及び第２線状シール体挟持部４ａ，４ｂ、外壁部６及び線状シール体支持部７とが、互いに密接して形成されているがため、第１及び第２リブ３ｃ，３ｄを含む多数の係合素子３と第１及び第２線状シール体挟持部４ａ，４ｂ、外壁部６及び線状シール体支持部７とによる実質的な樹脂侵入防止壁が面ファスナー１の長手方向に多列に形成され、これらの実質的な左右側樹脂侵入防止手段によって、面ファスナー１の幅方向からの発泡樹脂材料の侵入が実質的に阻止される。さらに、前記第１及び第２線状シール体挟持部４ａ，４ｂ、外壁部６及び線状シール体支持部７の全てが、長手方向に分割されているため、多少剛性がある材料から形成される面ファスナー１であっても、その長手方向において屈曲しやすく、発泡成形金型１００の凹凸面にもたやすく追従して変形する。勿論、上記特許文献３に開示された面ファスナーと同様に、係合素子形成領域を基材長手方向に区画を仕切る複数の横壁を形成することもでき、また同横壁自体の上端に係合素子を設けるようにしてもよい。更には横壁構造として、線状磁性体をもつ上記樹脂侵入防止壁部に相当する壁部を設けることもできる。【００４３】
クッションなどの発泡成形時には、図７に示すように、発泡成形金型１００内に注入された発泡材料、例えばポリウレタン樹脂２００は型内において自己発泡してキャビティ内に充満する。このとき、面ファスナー１は発泡成形金型１００の所要位置に埋設された図示せぬ磁石によって吸着されて密接されている。一方で、ポリウレタン樹脂２００の発泡圧により金型の吸着面と面ファスナー１の第２線状シール体挟持部４ｂ及び外壁部６との間に僅かに間隙が生じる。しかるに、本実施例によれば、上述のように線状シール体５の発泡成形金型１００への吸着力が大きいため、線状シール体５は全長にわたって発泡成形金型１００に均等に密接し、金型の吸着面と、面ファスナー１の第２線状シール体挟持部４ｂ及び外壁部６との間に僅かに形成された間隙を通って侵入してくる発泡材料を、前記線状シール体５によってその侵入を確実に阻止する。また、基材２が上記ヒレ片８をもつことにより、発泡成形品に面ファスナー１を一体に強固に取り付けることができる。ここで、発泡成形材料は、ポリウレタンに限らず、例えばポリウレタンの他に、ポリスチレン、ポリ塩化ビニル、ポリオレフィン、ポリエステル、ポリアミド、合成ゴムなどが採用できる。【００４４】
図８は、上記第１実施例の変形例であり、この実施例にあって上記第１実施例と異なるところは、線状シール体５として、磁性粒子を混入したエラストマーやゴムからなる線状シール体に代えて、繊維製紐材５’と金属線材５”とを撚り合わせた撚紐を使っている点である。なお、前記撚紐に代えて、磁性金属線材を芯材として、その表面を繊維製の撚紐又は組紐により被覆した線材を使用することもできる。【００４５】
なお、紐体の材質としては、綿、羊毛、絹、麻などの天然繊維や、ポリエステル糸、ポリアミド糸、セルロース糸などの化学繊維でもよく、またそれらを組み合わせてもよい。更に、例えば帝人ファイバー（株）製の“ベルオアシス（登録商標）”や東洋紡（株）製の“ランシール（登録商標）”のような高吸水性高分子からなる繊維を使うと、液状の発泡樹脂を吸収が大きくなり、樹脂侵入防止性能が向上するため好ましい。【００４６】
図９〜図１０は、本発明の第２実施例を示す。この実施例にあって上記第１実施例と異なるところは、第１に線状シール体５が繊維製の撚紐から構成され、面ファスナー１の基材２と係合素子３との間に、２本の線状磁性材１５が間隔をおいて長さ方向に互いを平行に埋設している点にある。この実施例にあっても、図示は省略するが、線状シール体５を単なる繊維製の紐体で構成せず、上記第１実施例の変形例と同様に、金属線材５”の周面を複数の繊維製紐材５’を撚って被覆した線状シール体として使うこともできる。この場合には、基材２に埋設された上記線状磁性材１５と線状シール体５の金属線材５”とによって発生する吸磁力が増加し、発泡成形金型１００に対する密着力が強力なものとなる。【００４７】
図１１は、前記第２実施例において、外壁部６を排除して、第１及び第２の線状シール体挟持部１４ａ，１４ｂの間を連結する線状シール体支持部７とを設け、基材表面からの前記線状シール体支持部７の高さを第１及び第２の線状シール体挟持部１４ａ，１４ｂの高さに等しくして、前記線状シール体５を前記線状シール体支持部７の上面に下半部を埋設するとともに、前記第２線状シール挟持部１４ｂをもって挟持するようにして、左右と下方から挟着支持している。ただし、線状シール体支持部７は基材２の長手方向に連続している点及びその幅方向の肉厚が第１実施例のそれより厚く形成している点でも、上記第２実施例と異なっている。そのため、以下の説明では、上記第２実施例と実質的に変わるところがない部分には同一の符号を付している。【００４８】
上記繊維紐体からなる線状シール体５は柔軟性と押圧に対する変形のしやすさがあるところから、第２の線状シール体挟持部１４ｂと線状シール体支持部７とにより、上述のように線状シール体５を挟持させたとき、図９及び図１０に示すように、撚紐からなる線状シール体５の上面高さＨ１を第２の線状シール体挟持部１４ｂの基材２からの高さＨ２よりも高く設定し、図１２に示すように発泡成形金型１００の吸着面に対する面ファスナー１の吸着力による線状シール体５の水平方向の拡幅変形を利用し、発泡成形金型１００に対する線状シール体５の吸着面積を増加してシール性能の向上させている。この線状シール体５を繊維紐だけで構成するときの磁力の低下は、実用上に影響を与えないことは本件発明者の実験により証明されている。【００４９】
また、上記相違点について、第２実施例の外壁部６を排除することにより、後述する面ファスナー成形用のダイホイールの構成部材の減少とその管理の容易性が向上し、また第１及び第２の線状シール体挟持部１４ａ，１４ｂと第１及び第２の線状シール体挟持部１４ａ，１４ｂの基部間を連結する線状シール体支持部７とによって、前記線状磁性材１５を面ファスナー１の成形と同時に挟着状に一体的に支持しているため、その挟着力が一段と向上する。【００５０】
図１３は、本発明の第３実施例を示している。この実施例によると、上記第１実施例における第１及び第２の線状シール体挟持部１４ａ，１４ｂ及び線状シール体支持部７の全てを基材２の長手方向で分割することなく、連続している点で相違する。その他の構成は上記第１実施例と実質的に変わるところがない。また、その作用効果についても、線状シール体５が樹脂侵入防止壁部４に強力に固定できる点を除いて、第１実施例と実質的に差異はない。そのため、以下の説明において部品名及び符号は特に変更していない。この実施例にあって、面ファスナー１のかかる構成は、後述する面ファスナー成形用のダイホイール構造が簡略化でき経済的に有利であり、また予め成形された線状シール体を面ファスナーと一体的に固着するタイプではなく、後述する図１４Ｂに見られるような直接液体を流し込んで線状シール体を成形するタイプにおいては液漏れの心配はない。【００５１】
図１４Ａ〜Ｇは、本発明の特に線状磁性体と同磁性体の配置の変形例を示している。
図１４Ａに示す変形例では、上記実施例のように第１及び第２線状シール体挟持部４ａ，４ｂの上端に係止部を形成せず、金属や磁石などの磁性材料からなる金属線材５”を芯材として、その周面を複数本の繊維製紐材５’を被覆した線状シール体５を線状シール体支持部７及び第１及び第２線状シール体挟持部４ａ，４ｂの対向面に接着剤などを塗布して接着固定している。なお、接着剤は必ずしも必要ではなく、例えば後述するダイホイールによる面ファスナー成形時に同時に線状シール体を導入することによっても作成することができる。図１４Ｂの変形例によれば、第１及び第２線状シール体挟持部４ａ，４ｂの間と線状シール体支持部７とによって形成される直線状の空間部に、加熱して溶融した磁性材料を含有する合成樹脂を流し込んで第１及び第２線状シール体挟持部４ａ，４ｂと線状シール体支持部７との間の空間部に線状シール体５を形成している。【００５２】
なお、本発明でいう線状シール体とは、前述の図１４Ｂで説明した樹脂を直接流し込むタイプも含まれるが、製造工程上、予め作製された線状シール体を成形雄面ファスナーに固着するタイプのほうが好ましい。【００５３】
図１４Ｃの変形例は、線状シール体５の材質として磁性材料を混入した発泡性樹脂や発泡ゴムが使われている。この変形例にあっては、特に発泡性樹脂や発泡ゴムの弾性変形を利用してシール性を向上させるため、上記第２実施例と同様に、線状シール体５の上面高さを、第１及び第２線状シール体挟持部４ａ，４ｂの基材表面からの高さ及び係合素子３の係合頭部頂点の基材表面からの高さよりも高く設定している。線状シール体５は、図１４Ａに示す上記線状磁性体と同様に、第１及び第２線状シール体挟持部４ａ，４ｂと線状シール体支持部７との間に接着剤によって接着固定、或いは後述する成形雄面ファスナーの製造方法で見られるように、成形雄面ファスナーの溶融樹脂に固着されている。いま、面ファスナー１が発泡成形金型１００に配された図示せぬ磁石により金型内面に吸着されたとき、前記発泡性樹脂や発泡ゴムからなる線状シール体５は弾性変形して、図１５に示すように、第１及び第２の線状シール体挟持部４ａ，４ｂの頂面を発泡成形金型１００の内面に密着させるため、発泡成形時に樹脂侵入防止壁部４の機能とともにシール性能が十分に発揮されることになる。【００５４】
図１４Ｃのタイプの変形例では顕著であるが、本発明における線状シール体挟持部４ａ〜４ｃは、線状シール体５の変形をある程度規制する。特に、本実施例の全てに見られるとおり、線状シール体５が線状シール体挟持部４ａ〜４ｃ間に完全に納まるように形成されているので、最適な接触圧を確保できる。【００５５】
また、線状シール体挟持部４ａ〜４ｃ間から表出するシール幅は、０．５ｍｍ以上３ｍｍ未満であることが好ましい。上記範囲にすることで、磁石１０２によって成形雄面ファスナー１が発泡成形金型１００に吸着されても、作業者が簡単に位置調整を行うことができる。シール幅が０．５ｍｍ未満となると、シール性が悪くなり、逆に３ｍｍ以上となると、成形雄面ファスナー１と、発泡成形金型１００との摩擦力により、位置調整しづらくなるので好ましくない。【００５６】
ここで線状シール体挟持部４ａ〜４ｃの間とは、一つの線状シール体を挟持する一対の線状シール体挟持部４ａ〜４ｃの間隔の範囲内のことを指すので線状シール体挟持部は、間欠的であっても連続的であっても良い。【００５７】
図１４Ｄに示す変形例によると、上記第１及び第２線状シール体挟持部４ａ，４ｂの間に、第３の線状シール体挟持部４ｃを追加しており、また第１及び第３の線状シール体挟持部４ａ，４ｃの間と、第３及び第２線状シール体挟持部４ｃ，４ｂの間とに、それぞれ第１及び第２の線状シール体支持部７ａ，７ｂを設けている。そして、第１及び第３の線状シール体挟持部４ａ，４ｃと第１の線状シール体支持部７ａとの間に第１線状シール体５ａを配するとともに、第３及び第２の線状シール体挟持部４ｃ，４ｂと第２の線状シール体支持部７ｂとの間に第２線状シール体５ｂを配している。すなわち、この変形例では２本の線状シール体５ａ，５ｂを並列して配して磁力を高め、図示せぬ金型に対する吸着力を確保している。【００５８】
このような構成を備えた本発明の面ファスナー１は図１〜図１４に示す例の他にも多様な変形が可能であり、その製造も、例えば図１６及び図１９に示す製造装置によって製造することができる。これらを簡単に説明する。
まず、図１６に示す製造装置によると、一方向に駆動回転するダイホイール３００の周面に溶融樹脂材料の連続押出しノズル３０１を対設している。このダイホイール３００の周面中央部領域には多数の雄係合素子成形用キャビティ３０２が形成されており、同周面の軸方向両端縁部には周方向に延びて上記第１及び第２線状シール体挟持部４ａ，４ｂを成形するための複数列の図示せぬ挟持部成形用キャビティが間欠的に又は連続して形成されている。一方、前記押出しノズル３０１との対面位置に設置された前記ダイホイール３００の周面部位の回転方向上流側にピックアップロール３０３が設置されており、更に、このピックアップロール３０３より下流側に上下一対の押圧ロール３０４，３０５が設置されている。上部の押圧ロール３０４は内部に図示せぬ加熱部を有し、この上部押圧ロール３０４を所要温度に加熱している。【００５９】
前記上下一対の押圧ロール３０４，３０５の上流側斜め上方に上記線状シール体５の連続供給部が設けられており、上記線状シール体５が前記上下一対の押圧ロール３０４，３０５の回転速度に同期して、前記上下一対の押圧ロール３０４，３０５の間の面ファスナー導入部に向けて供給され、前記面ファスナー１と合流する。このとき、線状シール体５は前記面ファスナー１の第１及び第２線状シール体挟持部４ａ，４ｂの間に嵌挿されるようにして合流する。【００６０】
連続押出しノズル３０１から押し出される溶融樹脂材料は、ダイホイール３００の回転に応じて、その周面にて既述した構造を備えた面ファスナー１を連続して成形する。ダイホイール３００の周面上で成形される面ファスナー１は、ダイホイール３００の周面に担持されて半回転すると、上記ピックアップロール３０３によってダイホイール３００の周面から連続して引き剥がされながらピックアップされる。このピックアップされた面ファスナー１は、上下一対の押圧ロール３０４，３０５間に導入される。なお、図示は省略しているが、前記ダイホイール３００の下半部の内部は冷却液が通されており、またダイホイール３００の下半部を浸漬する冷却用水槽が併設されている。【００６１】
上下一対の押圧ロール３０４，３０５間にて面ファスナー１と線状シール体５とが合流すると、図１６に示すように、線状シール体５は上下一対の押圧ロール３０４，３０５によって面ファスナー１の第１及び第２線状シール体挟持部４ａ，４ｂの間に押し込まれる。このとき同時に、第１及び第２線状シール体挟持部４ａ，４ｂの上端が上部の加熱押圧ロール３０４により加熱押圧されて、図１７及び図１８に示すように軟化変形して、第１及び第２線状シール体挟持部４ａ，４ｂの上端にそれぞれ係止部４ａ”，４ｂ”を形成し、線状シール体５を第１及び第２線状シール体挟持部４ａ，４ｂと線状シール体支持部７との間に挟着支持する。この面ファスナーの製造装置では後述する図１９の製造方法とは異なり、線状シール体５の下にある線状シール体支持部７を間欠的に形成することができ、長手方向の湾曲性の高い成形雄面ファスナーを成形することができる。【００６２】
図１９は、本発明に係る面ファスナー１の他の代表的な製造装置例を示している。この面ファスナー製造装置によれば、線状シール体５をダイホイール３００の回転方向上流側から、ダイホイール３００と連続押出しノズル３０１との対向面間に導入するようにしている。すなわち、この装置では線状シール体５をダイホイール３００の周面の第１及び第２線状シール体挟持部４ａ，４ｂを成形する図示せぬ挟持部成形用キャビティ間に直接供給すると同時に、ダイホイール３００の周面にて上記構成を備えた各種の面ファスナー１を一体に成形する。ダイホイール３００上で成形された面ファスナー１はピックアップロール３０３によってピックアップされたのち、上下一対の押圧ロール３０４，３０５を経て、図１４Ｄに示した面ファスナー１の製造装置と同様に、第１〜第３線状シール体挟持部４ａ〜４ｃの各上端に線状シール体５と係合する係止部４ａ”〜４ｃ”を形成する。【００６３】
なお、係止部４ａ”〜４ｃ”を必要としない、例えば図１４Ａ及びＣに見られるようなタイプの面ファスナーを製作する場合は、押圧ロール３０４，３０５は特に必要としない。また図１４Ｃのようなタイプの面ファスナーを作製する場合は、押圧ロール３０４，３０５の代わりに、液状或いは溶融状のシール材を導入する手段を設ければよい。【００６４】
このようにして製造された本発明の面ファスナー１を発泡性樹脂材料からなる図示せぬクッション体に成形一体化するには、図５に示し既述したとおり、長尺の連続するテープ状の前記面ファスナー１を所要の長さに切断したのち、その係合素子３の係合素子形成面を前記クッション体の凹陥部に対応する発泡成形金型１００の突面部１０１に向けて載置する。この成形金型の突面部１０１には磁石１０２が埋設されており、同突面部１０１に前記面ファスナー１を載置すると、前記磁石１０２の吸引力により上記線状シール体５を介して面ファスナー１が引き付けられ、同突面部１０１に沿って所望の姿勢で自動的に吸着固定される。【００６５】
ここで、成形金型内に発泡性樹脂材料が注入され、面ファスナー１の背面及び第２線状シール体挟持部４ｂや外壁部６の周辺へと流動しながら金型の全面に行き渡り、その間に発泡が開始されている。このとき、面ファスナー１は発泡成形金型１００の磁石１０２の吸引作用により位置決め固定され、発泡性樹脂材料の流動及び発泡圧によってもその位置を動かない。また前述のように流動する発泡性樹脂材料は、面ファスナー１の第１〜第３線状シール体挟持部４ａ〜４ｃ、線状シール体支持部７、外壁部６との間に形成される隙間を通って、係合素子３の形成領域３０へと侵入しようとするが、前記第１〜第３線状シール体挟持部４ａ〜４ｃ、線状シール体５などによって遮られて、最終的には係合素子形成領域にまで達することなく、発泡固化する。
【図１】
0005414689.tif 000002
【図２】
0005414689.tif 000003
【図３】
0005414689.tif 000004
【図４】
0005414689.tif 000005
【図５】
0005414689.tif 000006
【図６】
0005414689.tif 000007
【図７】
0005414689.tif 000008
【図８】
0005414689.tif 000009
【図９】
0005414689.tif 000010
【図１０】
0005414689.tif 000011
【図１１】
0005414689.tif 000012
【図１２】
0005414689.tif 000013
【図１３】
0005414689.tif 000014
【図１４】
0005414689.tif 000015
【図１５】
0005414689.tif 000016
【図１６】
0005414689.tif 000017
【図１７】
0005414689.tif 000018
【図１８】
0005414689.tif 000019
【図１９】
0005414689.tif 000020